(57)【要約】【課題】電子装置を用いる電気コネクタを提供する。【解決手段】  コンタクト配列によって、第1の端子の配列の信号差動ぺア１０６ａ、１０６ｂの二個の信号コンタクトは、密接に隣り合わせ、電源コンタクトと接地コンタクトが離間されていない。コンタクト配列は、信号差動ぺアが電源コンタクトと接地コンタクトにより離間されていない。まず、信号差動ぺアとその他コンタクトが信号を伝送することの影響が、最小化となる。即ち、第1の端子の配列の高速度と高周波数の伝送において、クロストークを低減することができる。【選択図】  図４
0003159012.tif 000002
【実用新案登録請求の範囲】
【請求項１】
スロットを有する絶縁ベースと、
前記絶縁ベースの前記スロットに固設され、第1の信号差動ぺアと第２の信号差動ぺアと第３の信号差動ぺアとが設けられ、前記第1の信号差動ぺアと前記第３の信号差動ぺアが前記第２の信号差動ぺアの両側に設けれ、互いに離間する電源コンタクトと接地コンタクトとを有するコンタクト配列と、
前記コンタクト配列を有する前記絶縁ベース外部を被覆される金属ケースと、
を備えることを特徴とする電気コネクタ。
【請求項２】
前記コンタクト配列のそれぞれのコンタクトは、中間部と前端部と後端部と第1の曲り部と第２の曲り部とが設けられ、前記中間部は、前記前端部と前記後端部の間に連結し、前記中間部は、第1の曲り部から前端部を接続し、第２の曲り部から後端部を接続することを特徴とする請求項１に記載の電気コネクタの端子構造。
【請求項３】
前記コンタクト配列の前記後端部の末端は、表面実装の脚部を設けられることを特徴とする請求項２に記載の電気コネクタの端子構造。
【請求項４】
前記コンタクト配列の前記後端部の末端は、スルーホール実装の脚部を設けられることを特徴とする請求項３に記載の電気コネクタ。
【請求項５】
前記コンタクト配列の前記後端部の末端は、前記表面実装の脚部と前記スルーホール実装の脚部とが、交互に離間して設けられることを特徴とする請求項４に記載の電気コネクタ。
【考案の詳細な説明】
【技術分野】
【０００１】
本考案は、電子装置を用いる電気コネクタに関する。
【背景技術】
【０００２】
電子装置の配線の伝送界面を発展向上することについて、一般に、配線のそれぞれのコンタクトが伝送速度や周波数に伴って増大する。したがって、電気コネクタのコンタクトが高速度と高周波数の伝送によりクロス・トーク（Ｃｒｏｓｓ  ｔａｌｋ）を低減することには、非常に重要となっている。
【考案の概要】
【考案が解決しようとする課題】
【０００３】
しかしながら、上記の電気コネクタには次のような欠点がある。
従来の配線のそれぞれのコンタクトが、伝送速度や周波数に伴って増大し、並べて配列を採用する。但し、電気コネクタのコンタクトが、高速度と高周波数の伝送によりクロストークが起こる。
【０００４】
本考案の目的は、電子装置を用いる電気コネクタを提供することにある。
【課題を解決するための手段】
【０００５】
本考案の電気コネクタは、金属ケースと、絶縁ベース、コンタクト配列とを含む。金属ケースは、コンタクト配列を有する絶縁ベースの外部に被覆される。当該金属ケースは、外部を接地するとき、電波障害を避けることができる。当該電気コネクタが、二種類のコンタクト配列を分けられ、該種コンタクト配列からその他種を長く。且つ、当該電気コネクタの末端は、信号ケーブルとを接続されるや被われる。第1の端子の配列が、二対の信号差動ぺア（Ｄｉｆｆｅｒｅｎｔｉａｌ  ｐａｉｒ）のコンタクトと接地コンタクトを含む。信号コンタクトは、一対の信号差動ぺアであり、信号コンタクトは、その他の一対の信号差動ぺアである。第２の端子の配列が、一対の信号差動ぺアと、接地コンタクト、電源コンタクトとを含む。全てコンタクト配列は、少なくとも一部に絶縁ベースのスロットを設けられ、それぞれのコンタクトは、交互に有効な絶縁を形成することができる。
【０００６】
本考案のそれぞれのコンタクトは、前端部と、中間部と、後端部と三つ部を分ける。中間部は、前端部と後端部の間に接続される。前端部は、対応する電気コネクタ（例えば、ソケット）に接続される。後端部は、基板に接続される。中間部は、曲り部から前端部を接続し、曲り部から後端部を接続される。いろいろコンタクトの後端部の末端は、基板に接続することを用いる。本実施例には、後端部の末端は、表面実装の脚部である。いろいろコンタクトの前端部の末端は、対応する電気コネクタに接続することを用いる。電気コネクタの規格と上述コンタクト配列の要求を応えるために、前端部はそれぞれの曲り部を備える。
【０００７】
本考案の後端部の末端は、表面実装の脚部であり、スルーホール実装の脚部である。その他実施例は、隣り合うのスルーホール実装の脚部は、交互に離間される。スルーホール実装の脚部と基板が半田付けの場合、隣り合うのスルーホール実装の脚部と半田付け点を増大してよい、電波障害を避ける。
【考案の効果】
【０００８】
本考案では、信号差動ぺアと信号差動ぺアは、信号差動ぺアの両側に配置される。信号差動ぺアと信号差動ぺアの間には、電源コンタクトが離間される。電気コネクタのコンタクトが高速度と高周波数の伝送によりクロス・トーク（Ｃｒｏｓｓ  ｔａｌｋ）を低減するという効果を奏する。
【図面の簡単な説明】
【０００９】
【図１】本考案の電気コネクタを示す斜視図。
【図２】本考案の電気コネクタを示す正面図。
【図３】本考案の電気コネクタを示す斜視図。
【図４】本考案の電気コネクタを示す平面図。
【図５】本考案の電気コネクタを示す平面図。
【図６】本考案の電気コネクタを示す斜視図。
【図７】本考案の電気コネクタを示す斜視図。
【図８】本考案の電気コネクタを示す側面図。
【図９】本考案の電気コネクタを示す側面図。
【図１０】本考案の電気コネクタを示す斜視図。
【図１１】本考案の電気コネクタを示す側面図。
【図１２】本考案の電気コネクタを示す斜視図。
【図１３】本考案の電気コネクタを示す側面図。
【図１４】本考案の電気コネクタを示す斜視図。
【図１５】本考案の電気コネクタを示す平面図。
【図１６】本考案の電気コネクタを示す背面図。
【図１７】本考案の電気コネクタを示す側面図。
【考案を実施するための形態】
【００１０】
（一実施形態）
図１、図２に示すように、本実施例の電気コネクタ、即ちプラグ１００は、金属ケース１０４と、絶縁ベース１０２、コンタクト配列とを含む。金属ケース１０４は、コンタクト配列を有する絶縁ベース１０２の外部に被覆される。当該金属ケース１０４は、外部を接地するとき、電波障害を避けることができる。当該プラグ１００が、二種類のコンタクト配列に分けられ、該種コンタクト配列からその他種を長く。且つ、当該プラグ１００の末端１０４ｂは、信号ケーブルと接続するとともに被われる。
【００１１】
図３、図４、図５に示すように、第1の端子の配列１０６が、二対の信号差動ぺア（Ｄｉｆｆｅｒｅｎｔｉａｌ  ｐａｉｒ）のコンタクトと接地コンタクト１０６ｃを含む。信号コンタクト１０６ａ、１０６ｂは、一対の信号差動ぺアであり、信号コンタクト１０６ｄ、１０６ｅは、その他の一対の信号差動ぺアである。第２の端子の配列１０８が、一対の第２信号差動ぺア１０８ｂ、１０８ｃと、接地コンタクト１０８ｄ、電源コンタクト１０８ａとを含む。全てコンタクト配列は、少なくとも一部に絶縁ベース１０２のスロット１０２ａが設けられ、それぞれのコンタクトは、交互に有効な絶縁を形成することができる。図面に示すように、信号差動ぺアはＳで示し、信号差動ぺアはＳで示し、電源コンタクトはＶで示し、接地コンタクトはＧで示す。
【００１２】
図５に示すように、コンタクト配列２００が基板１３０の半田付け点に連結する。第１信号差動ぺア１０６ａ、１０６ｂと第３信号差動ぺア１０６ｄ、１０６ｅは、第２信号差動ぺア１０８ｂ、１０８ｃの両側に配置される。第１信号差動ぺア１０６ａ、１０６ｂと第２信号差動ぺア１０８ｂ、１０８ｃとの間は、電源コンタクト１０８ａで離間される。第３信号差動ぺア１０６ｄ、１０６ｅと第２信号差動ぺア１０８ｂ、１０８ｃとの間は、接地コンタクト１０８ｄで離間される。並びに、第２信号差動ぺア１０８ｂ、１０８ｃの二個の信号コンタクトの間は、接地コンタクト１０６ｃで離間される。電気コネクタの全体を見ると、コンタクト配列２００のそれぞれのコンタクトは、上から下まで、Ｓ、Ｓ、Ｖ、Ｓ、Ｇ、Ｓ、Ｇ、Ｓ、Ｓ、の順に単列に設けれる。
【００１３】
上述のコンタクト配列２００によって、第1の端子の配列１０６の第１信号差動ぺア１０６ａ、１０６ｂの二個の信号コンタクトは、密接に隣り合わせ、電源コンタクトと接地コンタクトとが離間されていない。第1の端子の配列１０６の第３信号差動ぺア１０６ｄ、１０６ｅの二個の信号コンタクトは、密接に隣り合わせ、電源コンタクトと接地コンタクトとが離間されていない。上述のコンタクト配列２００を設ける目的は、信号差動ぺアが電源コンタクトと接地コンタクトとにより離間されないことにある。まず、信号差動ぺアとその他コンタクトが信号を伝送することの影響が、最小化となる。即ち、第1の端子の配列１０６の高速度と高周波数の伝送において、クロストークを低減することは、非常に重要となっている。
【００１４】
図６、図７に示すように、それぞれのコンタクトは、前端部１２０ａと、中間部１２０ｂと、後端部１２０ｃと三部分に分ける。中間部１２０ｂは、前端部１２０ａと後端部１２０ｃの間に接続される。前端部１２０ａは、対応する電気コネクタ（例えば、ソケット）に接続される。後端部１２０ｃは、基板１３０に接続される。中間部１２０ｂは、第１曲り部１２２ｂから前端部１２０ａを接続し、第２曲り部１２２ａから後端部１２０ｃを接続する。いろいろコンタクトの後端部１２０ｃの末端は、基板１３０に接続することに用いる。本実施形態には、後端部１２０ｃの末端は、表面実装の脚部である。いろいろコンタクトの前端部１２０ａの末端は、対応する電気コネクタに接続することに用いる。電気コネクタの規格と上述コンタクト配列の要求を応えるために、前端部１２０ａはそれぞれの曲り部を備える。
【００１５】
信号コンタクト１０６ｂの前端部１２０ａにおいて、二回湾曲する末端は、中間部１２０ｂから第２信号差動ぺア１０８ｂ、１０８ｃに近づく。信号コンタクト１０６ｄの前端部１２０ａにおいて、二回湾曲する末端は、中間部１２０ｂから第２信号差動ぺア１０８ｂ、１０８ｃに近づく。電源コンタクト１０８ａの前端部１２０ａにおいて、二回湾曲する（直角を曲り）末端は、中間部１２０ｂから第２信号差動ぺア１０８ｂ、１０８ｃに近づく。接地コンタクト１０８ｄの前端部１２０ａにおいて、二回湾曲する（直角を曲り）末端は、中間部１２０ｂから第２信号差動ぺア１０８ｂ、１０８ｃに近づく。上述湾曲することにより、コンタクト配列の前端部１２０ａから後端部１２０ｃまでを見る場合、信号コンタクト１０６ａ、１０６ｂの前端部１２０ａの末端は、電源コンタクト１０８ａ両側に設けれ、信号コンタクト１０６ｄ、１０６ｅの前端部１２０ａの末端は、接地コンタクト１０８ｄ両側に設けれる。
【００１６】
第２曲り部１２２ａと第１曲り部１２２ｂとは、直角（90度の角等よい）を形成される。その他実施形態によって、第２曲り部１２２ａと第１曲り部１２２ｂとは、絶縁ベース１０２の形状により、非直角を形成することができる。並びに、コンタクト配列１０６の前端部１２０ａの末端は、全て上向き湾曲し、最も大きい距離Ｄ1となって、コンタクト配列１０８の前端部１２０ａの末端は、上向きと下向き湾曲し、最も大きい距離Ｄ2となっている。コンタクト配列１０８において、コンタクト１０８ａ、１０８ｄは、コンタクト１０８ｂ、１０８ｃより長く形成されている。
【００１７】
図８、図９に示すように、本実施形態は、図６、図７と後端部１２０ｃの末端の脚部と異なっている。後端部１２０ｃの末端は、スルーホール実装の脚部である。
【００１８】
図１０、図１１に示すように、本実施形態は、図８、図９と後端部１２０ｃの末端の脚部位置の配列と異なっている。隣り合うスルーホール実装の脚部１２４ｂは、交互に離間される。スルーホール実装の脚部１２４ｂと基板２３０が半田付けの場合、隣り合うスルーホール実装の脚部１２４ｂとの半田付け点を増大すると、電波障害を避ける。本実施形態は、図６、図７の表面実装の脚部１２４ａを応用することができる。
【００１９】
図１２、図１３に示すように、本実施形態は、前記の実施例と後端部１２０ｃの末端の脚部種類との配列が異なっている。本実施形態は、表面実装の脚部１２４ａとスルーホール実装の脚部１２４ｂを備え、交互に穿挿配列される。表面実装の脚部１２４ａは、基板１３０の表面に半田付け、スルーホール実装の脚部１２４ｂは、基板１３０の穴を挿し込んで穿設する。
【００２０】
図１４、図１５に示すように、本実施形態の電気コネクタ、即ちソケットが、二種類のコンタクト配列に分けられ、該種コンタクト配列よりその他種を長くする。
【００２１】
第1の端子の配列２０６が、二対の信号差動ぺア（Ｄｉｆｆｅｒｅｎｔｉａｌ  ｐａｉｒ）のコンタクトと接地コンタクト２０６ｃを含む。信号コンタクト２０６ａ、２０６ｂは、一対の信号差動ぺアであり、信号コンタクト２０６ｄ、２０６ｅは、その他の一対の信号差動ぺアである。第２の端子の配列２０８が、一対の信号差動ぺア２０８ｂ、２０８ｃと、接地コンタクト２０８ｄ、電源コンタクト２０８ａとを含む。
【００２２】
以下、コンタクト配列２００が基板２３０の半田付け点を連結することにおいて、コンタクト配列２００の手順を述べる。信号差動ぺア２０６ａ、２０６ｂと信号差動ぺア２０６ｄ、２０６ｅは、信号差動ぺア２０８ｂ、２０８ｃの両側に配置される。信号差動ぺア２０６ａ、２０６ｂと信号差動ぺア２０８ｂ、２０８ｃの間には、電源コンタクト２０８ａで離間される。信号差動ぺア２０６ｄ、２０６ｅと信号差動ぺア２０８ｂ、２０８ｃの間には、接地コンタクト２０８ｄで離間される。並びに、信号差動ぺア２０８ｂ、２０８ｃの二個の信号コンタクトの間には、接地コンタクト２０６ｃで離間される。電気コネクタの全体を見ると、コンタクト配列２００のそれぞれのコンタクトは、上から下まで、Ｓ、Ｓ、Ｖ、Ｓ、Ｇ、Ｓ、Ｇ、Ｓ、Ｓ、の順で単列に設けれる。
【００２３】
上述のコンタクト配列２００によって、第1の端子の配列２０６の信号差動ぺア２０６ａ、２０６ｂの二個の信号コンタクトは、密接に隣り合わせ、電源コンタクトと接地コンタクトとが離間されていない。第1の端子の配列２０６の信号差動ぺア２０６ｄ、２０６ｅの二個の信号コンタクトは、密接に隣り合わせ、電源コンタクトと接地コンタクトとが離間されていない。上述のコンタクト配列２００を設ける目的は、信号差動ぺアが電源コンタクトと接地コンタクトとにより離間されないことにある。まず、信号差動ぺアとその他コンタクトが信号を伝送することの影響が、最小化となる。即ち、第1の端子の配列２０６の高速度と高周波数の伝送において、クロストークを低減することは、非常に重要となっている。
【００２４】
図１６、図１７に示すように、それぞれのコンタクトは、前端部２２０ａと、中間部２２０ｂと、後端部２２０ｃと三部分に分ける。中間部２２０ｂは、前端部２２０ａと後端部２２０ｃの間に接続する。前端部２２０ａは、対応する電気コネクタ（例えば、プラグ）に接続される。後端部２２０ｃは、基板２３０に接続される。中間部２２０ｂは、第２曲り部２２２ｂ（90度の角等よい）から前端部２２０ａを接続し、第１曲り部２２２ａ（90度の角等よい）から後端部２２０ｃを接続する。本実施形態には、後端部２２０ｃの末端は、表面実装の脚部である。いろいろコンタクトの前端部２２０ａの末端は、対応する電気コネクタに接続することに用いる。電気コネクタの規格と上述コンタクト配列の要求を応えるために、前端部２２０ａはそれぞれの曲り部を備える。
【００２５】
信号コンタクト２０６ｂの前端部２２０ａにおいて、二回湾曲する末端は、中間部２２０ｂから信号差動ぺア２０８ｂ、２０８ｃに近づく。信号コンタクト２０６ｄの前端部２２０ａにおいて、二回湾曲する末端は、中間部２２０ｂから信号差動ぺア２０８ｂ、２０８ｃに近づく。電源コンタクト２０８ａの前端部２２０ａにおいて、二回湾曲する（直角を曲り）末端は、中間部２２０ｂから信号差動ぺア２０８ｂ、２０８ｃに近づく。接地コンタクト２０８ｄの前端部２２０ａにおいて、二回湾曲する（直角を曲り）末端は、中間部２２０ｂから信号差動ぺア２０８ｂ、２０８ｃに近づく。上述湾曲することにより、コンタクトの位置が電気コネクタの規格を符合される。或いはその他、本考案の趣旨を逸脱しない範囲においてなされた、本考案と均等の効果を有する修飾や変更は、いずれも本考案の請求範囲に属するものである。
【産業上の利用可能性】
【００２６】
上述の通り、本実施形態の電気コネクタは、その使用時において以下の利点を有する。
【００２７】
本考案の上述のコンタクト配列２００によって、第1の端子の配列１０６の第１信号差動ぺア１０６ａ、１０６ｂの二個の信号コンタクトは、密接に隣り合わせ、電源コンタクトと接地コンタクトとが離間されていない。第1の端子の配列１０６の第３信号差動ぺア１０６ｄ、１０６ｅの二個の信号コンタクトは、密接に隣り合わせ、電源コンタクトと接地コンタクトとが離間されていない。上述のコンタクト配列２００を設ける目的は、信号差動ぺアが電源コンタクトと接地コンタクトとにより離間されていない。まず、信号差動ぺアとその他コンタクトが信号を伝送することの影響が、最小化となる。即ち、第1の端子の配列１０６の高速度と高周波数の伝送において、クロストークを低減することには、非常に重要となっている。
【００２８】
本考案の隣り合うスルーホール実装の脚部１２４ｂは、交互に離間される。スルーホール実装の脚部１２４ｂと基板２３０が半田付けの場合、隣り合うスルーホール実装の脚部１２４ｂと半田付け点を増大してよい、電波障害を避ける。本実施形態は、その他実施例の表面実装の脚部１２４ａを応用することができる。
【００２９】
なお、以上は本考案の一実施形態の説明に過ぎず、本考案の請求範囲を限定するものではなく、本考案の明細書及び図面の内容に基づきなし得る簡易な修飾及び同じ効果を達成できる構造変化はいずれも本考案の請求範囲内に属する。
【符号の説明】
【００３０】
１００：プラグ、１０２：絶縁ベース、１０２ａ：スロット、１０４：金属ケース、１０６：第1の端子の配列、１０６ａ〜１０６ｅ：コンタクト、１０８：第２の端子の配列、１０８ａ〜１０８ｄ：コンタクト、１２０ａ：前端部、１２０ｂ：中間部、１２０ｃ：後端部、１２２ａ：第２曲り部、１２２ｂ：第１曲り部、１２４ａ：表面実装の脚部、１２４ｂ：スルーホール実装の脚部、１３０：基板、２００：コンタクト配列、２０６：第1の端子の配列、２０６ａ〜２０６ｅ：コンタクト、２０８：第２の端子の配列、２０８ａ〜２０８ｄ：コンタクト、２２０ａ：前端部、２２０ｂ：中間部、２２０ｃ：後端部、２２２ａ：第１曲り部、２２２ｂ：第２曲り部、２３０：基板。
【図１】
0003159012.tif 000003
【図２】
0003159012.tif 000004
【図３】
0003159012.tif 000005
【図４】
0003159012.tif 000006
【図５】
0003159012.tif 000007
【図６】
0003159012.tif 000008
【図７】
0003159012.tif 000009
【図８】
0003159012.tif 000010
【図９】
0003159012.tif 000011
【図１０】
0003159012.tif 000012
【図１１】
0003159012.tif 000013
【図１２】
0003159012.tif 000014
【図１３】
0003159012.tif 000015
【図１４】
0003159012.tif 000016
【図１５】
0003159012.tif 000017
【図１６】
0003159012.tif 000018
【図１７】
0003159012.tif 000019
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
スロットを有する絶縁ベースと、
前記絶縁ベースの前記スロットに固設され、第２信号差動ぺアのコンタクトと、前記第２信号差動ぺアのコンタクトの両側に設けられている第１信号差動ぺアのコンタクト及び第３信号差動ぺアのコンタクトと、互いに離間する電源コンタクト及び接地コンタクトとを備えるコンタクト配列と、
前記コンタクト配列及び前記絶縁ベースの外部を被覆する金属ケースと、
を備えることを特徴とする電気コネクタ。
【請求項２】
前記コンタクト配列のそれぞれのコンタクトには、中間部と前端部と後端部と第１曲り部と第２曲り部とが設けられ、前記中間部は、前記前端部と前記後端部とを連結し、前記中間部は、前記第１曲り部で前記前端部に接続し、前記第２曲り部で前記後端部に接続することを特徴とする請求項１に記載の電気コネクタ。
【請求項３】
前記コンタクト配列の前記後端部の末端には、表面実装の脚部が設けられていることを特徴とする請求項２に記載の電気コネクタ。
【請求項４】
前記コンタクト配列の前記後端部の末端には、スルーホール実装の脚部が設けられていることを特徴とする請求項３に記載の電気コネクタ。
【請求項５】
前記コンタクト配列の前記後端部の末端には、前記表面実装の脚部と前記スルーホール実装の脚部とが、交互に離間して設けられていることを特徴とする請求項４に記載の電気コネクタ。